(57)【要約】  【課題】扉構造の大型化の回避と扉の回転方向の規制をなくすこと。  【解決手段】  回転スライド扉は、扉本体１０を吊り機構部１２と、スライド機構部１４と、付勢部１６とを備えている。機構部１２は、本体１０に回転力が加えられると、自重により元の位置に復帰する付勢力が作用する傾斜カム面が設けられている。機構部１４は、本体１０を上ガイドレール１８に沿って移動させるスライド台２０と、スライド移動させる際に、回転角度を９０°以内に規制し、かつ、逆回転を規制する回転規制部２２とを有している。扉本体１０は、前方に押圧すると、機構部１２を中心にして回転して、本体１０と開口部との交差角度が所定回転角度以上の状態で、ガイドレール１８に沿ってスライド移動し、スライド移動の押圧力が消失すると、本体１０は、付勢部１６とグラビティヒンジ部との付勢力により復帰移動回転して、開口部を閉止する。  【選択図】  図２
2007169948.tif 000002
【特許請求の範囲】
【請求項１】
壁と天井及び床とで隔成された開口部を開閉する扉本体を備えた回転スライド扉において、
前記扉本体の幅方向の中心上部に配置され、当該扉本体を回転自在に支持する吊り機構部と、
前記扉本体を前記開口部の端部側にスライド移動可能に案内するスライド機構部と、
前記扉本体が前記開口部の開口端側にスライド移動する際に、当該扉本体を前記扉本体の閉止位置側に向けて復帰付勢する付勢部とを備え、
前記吊り機構部は、前記扉本体に回転力が加えられると、自重により元の位置に復帰する付勢力が作用する傾斜カム面が設けられたグラビティヒンジを有し、
前記スライド機構部は、前記扉本体を前記開口部に沿って延設された上ガイドレールに沿って移動させるスライド台と、前記扉本体をスライド移動させる際に、前記扉本体の回転角度を９０°以内に規制し、かつ、逆回転を規制する回転規制部とを有し、
前記扉本体は、前方に押圧すると、前記吊り機構部を中心にして回転して、前記上ガイドレールに沿って前記開口部の開口端に向けてスライド移動し、
前記扉本体へのスライド移動の押圧力が消失すると、前記扉本体は、前記付勢部と前記グラビティヒンジ部との付勢力により復帰移動回転して、前記開口部を閉止することを特徴とする回転スライド扉。
【請求項２】
請求項１記載の回転スライド扉は、前記扉本体が前記開口部の中心に復帰した際に、前記スライド台を中心位置に停止させる停止部を有することを特徴とする回転スライド扉。
【請求項３】
前記回転規制部は、前記扉本体が前記開口部を閉止した際には、前記扉本体の回転を許容し、前記扉本体が所定角度回転した後に、前記扉本体の逆回転を規制するスイッチを有することを特徴とする請求項１または２記載の回転スライド扉。
【請求項４】
前記扉本体は、中心軸の下端に設けられた振れ防止部を備え、
前記振れ防止部は、前記開口部の下端に沿って延設された下ガイドレールに沿って転動する回転自在なローラと、前記下ガイドレールに設けられた磁石との間に吸着力が作用する磁石片とを有することを特徴とする請求項１〜３のいずれか１項記載の回転スライド扉。
【請求項５】
前記付勢部は、前記上ガイドレールに沿って移動する第１スライドピースに一端が固定され、他端が前記開口部の一方の端部に固定された第１ガイドシーブを周回するようにして前記ガイドレールの中心部に固定される第１弾性紐と、
前記上ガイドレールに沿って移動する第２スライドピースに一端が固定され、他端が前記開口部の他方の端部に固定された第２ガイドシーブを周回するようにして前記ガイドレールの中心部に固定される第２弾性紐と、
前記スライド台が前記開口部の端部側にスライド移動する際に、前記第１及び第２スライドガイドピースにの一方に係合して、前記第１及び第２弾性紐のいずれか一方のみを引き伸ばしながら移動させるピンストッパを設けたことを特徴とする請求項１〜４のいずれか１項記載の回転スライド扉。
【発明の詳細な説明】
【技術分野】
【０００１】
この発明は、回転スライド扉に関し、特に、どの方向からも回転が行え、扉幅にほぼ相当する開口部が得られる回転スライド扉に関するものである。
【背景技術】
【０００２】
建物の出入り口に設置され、押圧操作により開いて、操作を解除することで閉止する半自動扉は、高齢化社会の到来と共に、病院や身障者施設だけでなく、個人の住宅内でも利用することが望まれている。
【０００３】
この種の半自動扉は、扉の一端側をグラビティヒンジで回転自在に支持する方式が、例えば、特許文献１に提案されている。ところが、このような方式の半自動扉では、扉の前面また背面側に、扉の回転を確保するための比較的大きな大きな空間が必要になる。
【０００４】
この場合、扉の中央部分にグラビティヒンジを設けると、扉の回転のために、前面ないしは背面側に必要とする空間は、少なくて済むが、扉の回転に伴って発生する開口部の幅が、扉の略半分となって、人や車椅子の通過できる開口部の幅を確保するためには、扉を大きくしなければならない。
【０００５】
このような課題を解決するために、例えば、特許文献２には、扉の回転とスライド移動とを同時に行うスライド・スイング方式の半自動扉が提案されている。この特許文献２に開示されている半自動扉は、ドアパネルを幅方向にスライドさせながら前後方向に回転させて開閉するスイングスライド式扉装置において、ドアパネルと、その回転縦柱とからなる扉体を、回転軸と共通軸を有するようにドア用オートヒンジを設け、このオートヒンジの本体底部から水平に突設された接続部にドアパネル取付けアームを固定し、当該ドアパネル取付けアームの先端部にドアパネルの下部を回転自在に支持する構成を備えている。
【０００６】
しかしながら、特許文献２に開示されている半自動扉には、以下に説明する技術的な課題があった。
【０００７】
【特許文献１】特開平１０−１６９３０１号公報
【特許文献２】特開２００４−１９０３０１号公報
【発明の開示】
【発明が解決しようとする課題】
【０００８】
すなわち、特許文献２に開示されている半自動扉は、ドアパネルを幅方向にスライドさせながら前後方向に回転させて開閉するので、比較的大きな開口部を確保しつつ、しかも、ドアパネルを回転させる際に必要な空間も少なくて済む。
【０００９】
ところがこの構成では、ドアパネルの回転方向が一方向に限られ、ドアパネルが回転する方向の手前側から、これを開けようとすると、ドアパネルが手前側に回転してくるので、例えば、車椅子でここを通過する場合には、一人での通過が難しいという問題がある。
【００１０】
また、ドアパネルは、上下端を一対の取付けアームで、片持ち梁状に支持する構造なので、取付けアームは、ドアパネルの荷重を支持した状態での、回転操作となり、扉構造が大型化するという問題もある。
【００１１】
本発明は、このような従来の問題点に鑑みてなされたものであって、その目的とするところは、扉の回動のために、扉の前面ないしは背面側に必要とする空間が小さく、かつ、開口した際に、十分な開口幅を確保することができ、しかも、扉構造の大型化を回避しつつ、扉の回転方向が一方向に限られることがない回転スライド扉を提供することにある。
【課題を解決するための手段】
【００１２】
上記目的を達成するために、本発明は、壁と天井及び床とで隔成された開口部を開閉する扉本体を備えた回転スライド扉において、前記扉本体の幅方向の中心上部に配置され、当該扉本体を回転自在に支持する吊り機構部と、前記扉本体を前記開口部の端部側にスライド移動可能に案内するスライド機構部と、前記扉本体が前記開口部の開口端側にスライド移動する際に、当該扉本体を前記扉本体の閉止位置側に向けて復帰付勢する付勢部とを備え、前記吊り機構部は、前記扉本体に回転力が加えられると、自重により元の位置に復帰する付勢力が作用する傾斜カム面が設けられたグラビティヒンジを有し、前記スライド機構部は、前記扉本体を前記開口部に沿って延設された上ガイドレールに沿って移動させるスライド台と、前記扉本体をスライド移動させる際に、前記扉本体の回転角度を９０°以内に規制し、かつ、逆回転を規制する回転規制部とを有し、前記扉本体は、前方に押圧すると、前記吊り機構部を中心にして回転して、前記上ガイドレールに沿って前記開口部の開口端に向けてスライド移動し、前記扉本体へのスライド移動の押圧力が消失すると、前記扉本体は、前記付勢部と前記グラビティヒンジ部との付勢力により復帰移動回転して、前記開口部を閉止するようにした。
【００１３】
このように構成した回転スライド扉によれば、扉本体は、前方に押圧すると、吊り機構部を中心にして回転して、この状態でさらに押圧すると、上ガイドレールに沿って開口部の開口端に向けてスライド移動し、扉本体へのスライド移動の押圧力が消失すると、扉本体は、付勢部とグラビティヒンジ部との付勢力により復帰移動回転して、開口部を閉止するので、扉の回動のために、扉の前面ないしは背面側に必要とする空間は、扉本体の幅の略１／２があればよく、これを小さくすることができるとともに、開口した際に、十分な開口幅を確保することができ、しかも、扉構造の大型化を回避しつつ、扉の回転方向が一方向に限られることもない。
【００１４】
さらに、押圧力がなくなると、付勢部とグラビティヒンジ部との付勢力により自動的に復帰移動回転して、開口部を閉止することができる。
【００１５】
本発明の回転スライド扉は、前記扉本体が前記開口部の中心に復帰した際に、前記スライド台を中心位置に停止させる停止部を有することができる。
【００１６】
前記回転規制部は、前記扉本体が前記開口部を閉止した際には、前記扉本体の回転を許容し、前記扉本体が所定角度回転した後に、前記扉本体の逆回転を規制するスイッチを有することができる。
【００１７】
前記扉本体は、中心軸の下端に設けられた振れ防止部を備え、前記振れ防止部は、前記開口部の下端に沿って延設された下ガイドレールに沿って転動する回転自在なローラと、前記下ガイドレールに設けられた磁石との間に吸着力が作用する磁石片とで構成することができる。
【００１８】
前記付勢部は、前記上ガイドレールに沿って移動する第１スライドピースに一端が固定され、他端が前記開口部の一方の端部に固定された第１ガイドシーブを周回するようにして前記ガイドレールの中心部に固定される第１弾性紐と、前記上ガイドレールに沿って移動する第２スライドピースに一端が固定され、他端が前記開口部の他方の端部に固定された第２ガイドシーブを周回するようにして前記ガイドレールの中心部に固定される第２弾性紐と、前記スライド台が前記開口部の端部側にスライド移動する際に、前記第１及び第２スライドガイドピースにの一方に係合して、前記第１及び第２弾性紐のいずれか一方のみを引き伸ばしながら移動させるピンストッパを設けることができる。
【発明の効果】
【００１９】
本発明にかかる回転スライド扉によれば、扉の回動のために、扉の前面ないしは背面側に必要とする空間が小さく、かつ、開口した際に、十分な開口幅を確保することができ、しかも、扉構造の大型化を回避しつつ、扉の回転方向も一方向に限られることがない。
【発明を実施するための最良の形態】
【００２０】
以下、本発明の好適な実施の形態について、添付図面に基づいて詳細に説明する。
【実施例１】
【００２１】
図１から図１３は、本発明にかかる回転スライド扉の一実施例を示している。本実施例の回転スライド扉は、図１に示すように、壁Ｂと天井Ｃ及び床Ｄで四周が隔成された概略長方形状の開口部Ａを、平板状の扉本体１０で開閉するものである。
【００２２】
図１には、開口部Ａを扉本体１０で閉塞した状態（Ａ）、扉本体１０を約７５°回転させて、開口部Ａと扉本体１０とが交差した状態（Ｂ）、及び、扉本体１０を開口部Ａの一端側にスライド移動させて、開口部Ａのほぼ全面を開放させた状態（Ｃ）が、それぞれ斜視図と平面図とで示されている。
【００２３】
本実施例の回転スライド扉は、扉本体１０の幅方向の中心上部に配置され、当該扉本体１０を回転自在に支持する吊り機構部１２と、扉本体１０が所定角度回転した状態で、扉本体１０を開口部Ａの端部側にスライド移動可能に案内するスライド機構部１４と、扉本体１０が開口部Ａの開口端側にスライド移動する際に、当該扉本体１０を扉本体１０の閉止位置側に向けて復帰付勢する付勢部１６とを備えている。
【００２４】
吊り機構部１２は、本実施例の場合、グラビティヒンジから構成されていて、扉本体１０に回転力が加えられると、自重により元の位置に復帰する付勢力が作用する傾斜カム面１２ａを有している。グラビティヒンジからなる吊り機構部１２は、傾斜カム面１２ａで相互に係合する外筒部１２ｂと回転軸１２ｃとを備えていて、外筒部１２ｂが扉本体１０の上端中心軸上に固設されている。回転軸１２ｃは、後述するスライド台２０の中心に取り付けられている。
【００２５】
スライド機構部１４は、扉本体１０を開口部Ａに沿って延設された上ガイドレール１８に沿って移動させるスライド台２０と、扉本体１０をスライド移動させる際に、扉本体１０の回転角度を９０°以内に規制し、かつ、逆回転を規制する回転規制部２２とを有している。
【００２６】
上ガイドレール１８は、開口部Ａの天井Ｃの下方に設置されていて、開口部Ａの全長に亘って延設されている。本実施例の場合、上ガイドレール１８は、平板状の上板１８ａと、上板１８ａの両端から下方に垂設された一対の側板１８ｂと、各側板１８ｂの下端から内方に延設された棚板１８ｃとを備えていて、断面が概略偏平な角型になっている。
【００２７】
一対の棚板１８ｃ間には、ガイドレール１８の長手方向に沿って延設されるスリット状空間１８ｄが形成され、この空間１８ｄ内に、吊り機構部１２の外筒部１２ｂが挿通するように設置されている。
【００２８】
また、上ガイドレール１８の上板１８ａの下面には、対向する鉤形の突起で構成された一対のガイド部１８ｅが並列的に設けられている。各ガイド部１８ｅは、ガイドレール１８の長手方向に沿ってその全長に亘って延設され、各ガイド部１８ｅには、後述するスライドピース１６ａ，１６ｂが移動自在に装着される。
【００２９】
さらに、各棚板１８ｃには、側板１８ｂの下端近傍に位置する凹溝１８ｆが設けられている。スライド台２０は、概略平板状に形成された上及び下フレーム２０ａ，２０ｂを備え、相互に固設されたフレーム２０ａ，２０ｂの中心位置を貫通するようにして、グラビティヒンジ（吊り機構部１２）の回転軸１２ｃが固設されている。
【００３０】
下フレーム２０ｂの対向する２側面には、図４にも示すように、合計４個の垂直ローラ２０ｃが回転自在に枢着されていて、各垂直ローラ２０ｃは、図２，３に示すように、上ガイドレール１８の凹溝１８ｆ内に下端側が挿入されていて、凹溝１８ｆに沿って転動するようになっている。
【００３１】
この構成により、扉本体１０の荷重は、吊り機構部１２を介して、スライド台２０に伝達され、垂直ローラ２０ｃを経て、上ガイドレール１８に伝えられて、この部分で支持されることになる。
【００３２】
また、上フレーム２０ａの対向する２側面には、図５にも示すように、合計４個の水平ローラ２０ｄが回転自在に枢着されていて、各水平ローラ２０ｆは、図２，３に示すように、上ガイドレール１８の側板１８ｂの内面に当接していて、側板１８ｂに沿って転動するようになっている。
【００３３】
回転規制部２２は、吊り機構部１２の外筒部１２ｂの外周に固設された円弧状のストッパ磁石台２２ａと、起動スイッチ２２ｂと、ストッパ２２ｃとを備えている。ストッパ磁石台２２ａは、円弧状の磁石片２２ｄが上面側に固設されている。
【００３４】
起動スイッチ２２ｂは、平面形状が概略凸形に形成されたものであって、上，下フレーム２０ａ，２０ｂに貫通形成された貫通孔２２ｅ内に上下移動自在に挿通されている。この起動スイッチ２２ｂの下端側は、上ガイドレール１８の一方の棚板１８ｃの上面に固設された、スイッチガイド板に２４上に載置されている。
【００３５】
このスイッチガイド板２４は、図９に示すように、上ガイドレール１８の中心に固設され、左右方向に傾斜面を有している。ストッパ２２ｃは、スライド台２０の下フレーム２０ｂの下面に固設されていて、扉本体１０が左右いずれかの方向に略９０°回転すると、ストッパ磁石台２２ａの先端が当接して、それ以上扉本体１０が回転することを阻止する。
【００３６】
ここで、扉本体１０は、回転すると、この回転に伴って、吊り機構部１２のグラビティヒンジの傾斜カム面１２ａにより、図３に示すように、所定の距離だけ上昇する。（図２が下降位置の状態を示し、図３が上昇位置の状態を示している。）
【００３７】
扉本体１０の下降位置においては、起動スイッチ２２ｂは、スイッチガイド板２４の中心部に載置されており、この状態では、ストッパ磁石台２２ａと干渉しないので、扉本体１０は、吊り機構部１２のグラビティヒンジにより回転することができる。
【００３８】
扉本体１０が回転すると、傾斜カム面１２ｂに載り上がることで、これが徐々に上昇するが、所定回転角度（７５°）だけ回転すると、円弧状のストッパ磁石台２２ａと起動スイッチ２２ｂとの位置的な干渉がなくなり、これをさらに回転させて９０°の回転位置では、ストッパ磁石台２２ａがストッパ２２ｃに当接して、その後の回転が阻止される。
【００３９】
この状態でさらに回転を継続すると、扉本体１０は、スライド台２０に支持された状態で、上ガイドレール１８に沿ってスライド移動することになる。この際に、扉本体１０の逆回転は、ストッパ磁石台２２ａが起動スイッチ２２ｂに当接することで、これ以上の逆回転が規制される。
【００４０】
なお、図２，３及び図４に示した符号２６の部材は、下フレーム２０ｂに配置された円盤磁石であって、この円盤磁石２６は、ストッパ磁石台２２ａに配置されている磁石片２２ｄと、相互に反発する関係にあって、この反発力は、扉本体１０が、図８に示すように、７５°回転した位置から９０°回転するまでの間で作用し、この反発力により、扉本体１０がストッパ２２ｃに強く当たらないようにしている。
【００４１】
また、図２，３および図  に示した符号２８の部材は、扉本体１０が開口部Ａの中心に位置する際、および、扉本体１０が中心に復帰した際に、スライド台２０を開口部Ａの中心に位置決め停止させる停止部であり、本実施例の場合には、上ガイドレール１８の棚板１８ｃ上に固設された一対の第１磁石２８ａと、下フレーム２０ｂに固設された一対の第２磁石２８ｂとから構成され、これらの磁石２８ａ，２８ｂは、相互に吸着する磁極構成になっている。
【００４２】
一方、付勢部１６は、それぞれ一対ずつの第１，第２スライドピース１６ａ，１６ｂと、第１，第２弾性紐１６ｃ，１６ｄと、第１，第２ガイドシーブ１６ｅ，１６ｆと、第１，第２固定プレート１６ｇ，１６ｈと、第１および第２ピンストッパ１６ｉ，１６ｊ前記とを備えている。
【００４３】
第１，第２スライドピース１６ａ，１６ｂは、図２，３に示すように、上ガイドレール１８のガイド部１８ｅ内に上端側を挿入することにより、ガイドレール１８に沿って移動可能に設置されている。
【００４４】
第１弾性紐１６ｃは、一端側が第１スライドピース１６ａに固定され、他端側は、図１１に示すように、開口部Ａの一方の端部に固定された第１ガイドシーブ１６ｅを周回するようにしてガイドレール１８の中心部に固定される第１固定プレート１６ｇに固定されている。
【００４５】
第２弾性紐１６ｄは、一端側が第２スライドピース１６ｂに固定され、他端側は、図１１に示すように、開口部Ａの他方の端部に固定された第２ガイドシーブ１６ｆを周回するようにしてガイドレール１８の中心部に固定される第２固定プレート１６ｈに固定されている。なお、弾性紐１６ｃ，１６ｄは、例えば、ストレッチコード（Ｅ−３０エステル）（株式会社カタヤマ製、商品名）を用いることができる。
【００４６】
ピンストッパ１６ｉ，１６ｊは、スライド台２０の上フレーム２０ａに固定されている。各ピンストッパ１６ｉ，１６ｊは、一対から構成されていて、図５に示すように、第１，第２スライドピース１６ａ，１６ｂの内側に配置されている。このような位置関係にあると、スライド台２０が、図５の右方向に移動する際には、同図の上側のスライドピース１６ａだけがこれに押されて、同じ方向に移動し、下側のスライドピース１６ｂは、そのままの位置に留まる。
【００４７】
つまり、本実施例の場合、スライド台２０が開口部Ａの端部側にスライド移動する際には、第１及び第２スライドガイドピース１６ａ，１６ｂの一方にのみストッパピン１６ｉ，１６ｊが係合して、第１及び第２弾性紐１６ｃ，１６ｄのいずれか一方を引き伸ばしながら移動させることになる。
【００４８】
さらに、本実施例の場合には、扉本体１０は、中心軸の下端に設けられた振れ防止部３０を備えている。図６および図７は、振れ防止部３０の詳細であり、振れ防止部３０は、開口部Ａの下端に沿って延設された下ガイドレール３２に沿って転動する回転自在なローラ３０ａと、下ガイドレール３２に設けられた磁石３２ａとの間に吸着力が作用する磁石片３０ｂとで構成されている。
【００４９】
本実施例の場合、下ガイドレール３２は、床面Ｄに埋め込まれていて、ローラ３０ａに当接する面が床面上に露出している。磁石３２ａは、ガイドレール３２の内部にあって、その全長に亘って延設されている。
【００５０】
ローラ３０ａは、支持ロッド３０ｃの側面に回転自在に枢着されていて、磁石片３０ｂは、支持ロッド３０ｃの下端に固設され、磁石３２ａと対向するように配置されている。支持ロッド３０ｃは、回転扉１０の中心軸上の下端に固設されたホルダ３０ｄ内に上下移動自在に挿入されている。
【００５１】
このように構成した振れ防止部３０によれば、扉本体１０が回転すると、吊り機構部１２の傾斜カム面１２ａにより上昇移動するが、この際にも、磁石３０ｂ，３２ａ同士の吸着力が作用して、下端側の振れが防止されるとともに、スライド台２０でスライド移動する際にも、同様に吸着力が作用して、振れを防止することができる。
【００５２】
以上のように構成された回転スライド扉においては、扉本体１０を、前方に押圧すると、まず、吊り機構部１２を中心にしてこれが回転する。そして、扉本体１０の幅方向と開口部Ａとの交差角度が所定角度以上の状態（例えば、図８に示すように、７５°）、あるいは、９０°回転させた状態で、さらに扉本体１０を前方に移動させると、扉本体１０を吊り支持しているスライド台２０が、上ガイドレール１８に沿って開口部Ａの開口端（図８の左方向）に向けてスライド移動する。
【００５３】
この際に、扉本体１０の回転は、回転規制部２２のストッパ磁石台２２ａがストッパ２２ｃに当接することにより、９０°以上の回転が規制されるとともに、ストッパ磁石台２２ａが起動スイッチ２２ｂに当接することにより、これ以上の逆回転が規制される。
【００５４】
また、付勢部１６は、扉本体１０の回転およびスライド移動時には、以下のように機能する。すなわち、まず、扉本体１０が回転する際には、付勢部１６は、その障害とならず、回転がスムーズに行え、図１１に示した状態に維持される。
【００５５】
そして、スライド台２０が左方向にスライド移動すると、図１２に示すように、付勢部１６のスライドピース１６ｂだけが、ストッパピン１６ｊに押されて、スライド台２０と同じ方向に移動し、スライドピース１６ａは、図１１に示した位置に留まる。この結果、図１２に示すように、第２弾性紐１６ｄだけが引伸ばされることになる。
【００５６】
そして、図９に示すように、スライド台２０が開口部Ａの左端まで移動すると、開口部Ａのほぼ全長が開放された状態になる。そして、この状態で、扉本体１０へのスライド移動の押圧を停止して、押圧力が消失すると、扉本体１０は、付勢部１６の第２弾性紐１６ｄが引伸ばされているので、その弾性収縮力により、開口部Ａの中心側にスライド移動して復帰しようとする。
【００５７】
この際に、扉本体１０は、吊り機構部１２のグラビティヒンジの傾斜カム面１２ａにより閉止する方向に付勢されているので、元の位置に復帰回転しようとするが、この復帰回転は、ストッパ磁石台２２ａが起動スイッチ２２ｂに当接することで、約７５°の回転位置に規制され、この状態で開口部Ａの中心の近傍までスライド移動することになる。
【００５８】
このようなスライド移動が継続されて、回転扉１０が開口部Ａの中心近傍まで移動して、起動スイッチ２２ｂが傾斜ガイド板２４の傾斜面を経てその上部中心位置に到達すると、起動スイッチ２２ｂの上昇移動により、ストッパ磁石台２２ａの回転規制が解除され、扉本体１０は、復帰回転して開口部Ａを閉止することになる。
【００５９】
このような扉本体１０の停止位置は、磁石２８ａ，２８ｂ間の吸着磁力が作用する停止部２８により正確に位置決めされる。以上のような扉本体１０の回転およびスライド移動、その後に復帰する際の移動回転の最中は、振れ防止部３０の機能により、扉本体１０が下ガイドレール３２から脱落することがなく、扉本体１０の姿勢を垂設状態に常時維持することができる。
【００６０】
なお、以上の扉本体１０の回転およびスライド移動では、図８，９において、扉本体１０を左方向に回転させて、さらにこれを左方向にスライド移動させる場合について説明したが、扉本体１０を右回転させながらスライド移動させる場合は、図１０や図１３に示すような形態となり、この形態は、左方向の場合と実質的には同一なのでその説明を省略する。
【００６１】
また、上記実施例で示した付勢部１６は、弾性紐１６ｃ，１６ｄの伸長と弾性復帰とを利用するものを例示したが、本発明の実施は、これに限定されることはなく、例えば、実施例の構成に替えて、リニアモータを用いて、扉本体１０に復帰付勢力が加わるようにしてもよい。
【００６２】
また、起動スイッチ２２ｂの上昇移動構成として、上記実施例では、両側に傾斜面を設けた傾斜ガイド板２４を用いる場合を例示したが、これに代えて、例えば、起動スイッチ２２ｂの下端とガイド板２４の設置相当位置に、相互に反発する永久磁石を配置しておき、起動スイッチ２２ｂが所定位置で上昇するように構成してもよい。
【産業上の利用可能性】
【００６３】
本発明にかかる回転スライド扉によれば、開口部の閉塞を自動的に行うことができるので、例えば、病院などの出入口用扉として有効に活用することができる。
【図面の簡単な説明】
【００６４】
【図１】本発明にかかる回転スライド扉の閉止状態（Ａ）、半開状態（Ｂ）、全開状態（Ｃ）の斜視図と上面説明図である。
【図２】本発明にかかる回転スライド扉で開口部を閉止した状態の要部断面図である。
【図３】図１の状態で、扉本体を回転させた際の断面図である。
【図４】図２のＡ−Ａ線上面図である。
【図５】図２のＢ−Ｂ線上面図である。
【図６】図１に示した回転スライド扉の下端側の説明図である。
【図７】図６のＤ部拡大図である。
【図８】本発明にかかる回転スライド扉の扉本体を閉止位置から左７５°回転させた際の、スライド台の状態を示す図である。
【図９】図８に示した状態から扉本体を左または右端までスライド移動させた際のスライド台の状態を示す図である。
【図１０】本発明にかかる回転スライド扉の扉本体を閉止位置から右７５°回転させた際の、スライド台の状態を示す図である。
【図１１】本発明にかかる回転スライド扉の扉本体を閉止位置から左７５°回転させた際の、付勢部の状態を示す図である。
【図１２】図１１に示した状態から扉本体を左または右端までスライド移動させた際の付勢部の状態を示す図である。
【図１３】本発明にかかる回転スライド扉の扉本体を閉止位置から右７５°回転させた際の、付勢部の状態を示す図である。
【符号の説明】
【００６５】
１０        扉本体
１２        吊り機構部（グラビティヒンジ）
１２ａ      傾斜カム面
１２ｂ      外筒部
１２ｃ      回転軸
１４        スライド機構部
１６        付勢部
１８        上ガイドレール
２０        スライド台
２０ａ      上フレーム
２０ｂ      下フレーム
２２        回転規制部
２２ａ      ストッパ磁石台
２２ｂ      起動スイッチ
２２ｃ      ストッパ
２４        傾斜ガイド板
【図１】
2007169948.tif 000003
【図２】
2007169948.tif 000004
【図３】
2007169948.tif 000005
【図４】
2007169948.tif 000006
【図５】
2007169948.tif 000007
【図６】
2007169948.tif 000008
【図７】
2007169948.tif 000009
【図８】
2007169948.tif 000010
【図９】
2007169948.tif 000011
【図１０】
2007169948.tif 000012
【図１１】
2007169948.tif 000013
【図１２】
2007169948.tif 000014
【図１３】
2007169948.tif 000015